(57)【要約】      （修正有）【課題】コネクタを大型にすることなく、光ファイバ心線の断線の可能性を低減させる光電変換装置を提供する。【解決手段】光電変換装置１は、コネクタ２と、光ファイバ３とを備える。コネクタ２は、ハウジング６と、光ファイバ心線３１が接続され電気信号と光信号とを変換する光電変換ブロック４と、光ファイバ３をハウジング６に固定するための固定ブロック５とを含む。ハウジング６は、第１の方向Ｄ１に並ぶように光電変換ブロック４および固定ブロック５を収納する。固定ブロック５は、光ファイバ心線３１が貫通する空間５１１を有する。空間５１１は、第１の方向Ｄ１と直交する第２の方向Ｄ２における第１の面５１６での開口の長さＬ１が第２の方向Ｄ２以外の第１の方向Ｄ１と直交する方向における第１の面５１６での開口の長さよりも長くなるように形成されている。【選択図】図３
2018119997.tif 000002
【特許請求の範囲】
【請求項１】
光電変換を行うコネクタと、
前記コネクタからの光信号を伝送する光ファイバとを備え、
前記光ファイバは、
前記光信号が通る光ファイバ心線と、
前記光ファイバ心線を覆う被覆とを備え、
前記コネクタは、
ハウジングと、
前記光ファイバ心線が接続され電気信号と前記光信号とを変換する光電変換ブロックと、
前記光ファイバを前記ハウジングに固定するための固定ブロックとを備え、
前記ハウジングは、前記光電変換ブロックと前記固定ブロックとが第１の方向において並ぶように、前記光電変換ブロックおよび前記固定ブロックを収納し、
前記固定ブロックは、前記光電変換ブロック側の第１の面と、前記第１の面とは異なる第２の面とを含み、前記第１の面および前記第２の面に開口し前記光ファイバ心線が貫通する空間を有し、
前記空間は、前記第１の方向と直交する第２の方向における前記第１の面での開口の長さが前記第２の方向以外の前記第１の方向と直交する方向における前記第１の面での開口の長さよりも長くなるように形成されている
ことを特徴とする光電変換装置。
【請求項２】
前記コネクタは、
複数のコネクタ端子を含むコネクタ端子部をさらに備え、
前記第２の方向は、前記複数のコネクタ端子が並ぶ方向である
ことを特徴とする請求項１記載の光電変換装置。
【請求項３】
前記固定ブロックは、
前記空間を有する固定部材と、
前記固定部材とで前記被覆を挟持して前記光ファイバを前記ハウジングに固定する押さえ部材とを含む
ことを特徴とする請求項１または２記載の光電変換装置。
【請求項４】
前記光ファイバは、
前記光ファイバ心線と前記被覆との間に設けられた抗張力体をさらに備え、
前記固定部材および前記押さえ部材は、前記被覆および前記抗張力体を挟持して前記光ファイバを前記ハウジングに固定する
ことを特徴とする請求項３記載の光電変換装置。
【請求項５】
前記空間は、前記第２の方向において、前記第１の面での開口の長さが前記第２の面での開口の長さよりも長くなるように形成されていることを特徴とする請求項１〜４のいずれか１項に記載の光電変換装置。
【請求項６】
前記コネクタは、
前記光ファイバ心線を固定する心線固定部材と、
前記固定ブロックの前記第２の面側から前記第１の面側に向かって前記心線固定部材を前記空間に押し込む弾性体とをさらに備える
ことを特徴とする請求項１〜５のいずれか１項に記載の光電変換装置。
【請求項７】
前記コネクタは、
前記ハウジング内において前記光ファイバ心線を迂回させるように設けられた弾性機構をさらに備える
ことを特徴とする請求項１〜６のいずれか１項に記載の光電変換装置。
【請求項８】
前記光電変換ブロックは、
基板と、
光電変換素子を含み前記基板に実装された光電変換モジュールとを含み、
前記コネクタは、
前記基板に接続され前記基板を前記第１の方向に移動可能に設けられたフレキシブル基板をさらに備える
ことを特徴とする請求項１〜７のいずれか１項に記載の光電変換装置。
【請求項９】
光信号が通る光ファイバ心線を含む光ファイバに接続されて光電変換を行うコネクタであって、
ハウジングと、
前記光ファイバ心線が接続され電気信号と前記光信号とを変換する光電変換ブロックと、
前記光ファイバを前記ハウジングに固定するための固定ブロックとを備え、
前記ハウジングは、前記光電変換ブロックと前記固定ブロックとが第１の方向において並ぶように、前記光電変換ブロックおよび前記固定ブロックを収納し、
前記固定ブロックは、前記光電変換ブロック側の第１の面と、前記第１の面とは異なる第２の面とを含み、前記第１の面および前記第２の面に開口し前記光ファイバ心線が貫通する空間を有し、
前記空間は、前記第１の方向と直交する第２の方向における前記第１の面での開口の長さが前記第２の方向以外の前記第１の方向と直交する方向における前記第１の面での開口の長さよりも長くなるように形成されている
ことを特徴とするコネクタ。
【発明の詳細な説明】
【技術分野】
【０００１】
本発明は、一般に光電変換装置およびコネクタに関し、より詳細には、電気信号と光信号とを変換する光電変換装置およびコネクタに関する。
【背景技術】
【０００２】
従来、電気信号と光信号とを変換する光電変換装置が種々開発されている。このような光電変換装置は、光ファイバを用いてデータを伝送するので、電線を用いてデータを伝送する場合に比べて、高速伝送を実現することができる。また、このような光電変換装置は、電気的な絶縁にも優れている。
【０００３】
ところで、このような光電変換装置において、外部からの力や温度変化による伸縮によって光ファイバに張力が加わった場合、光ファイバ心線の先端は光電変換ブロックに固定されているため、光ファイバ心線が断線する可能性があった。
【０００４】
上記のような光ファイバ心線の断線を防止するために、光ファイバ心線に撓みを持たせた構成の光伝送モジュールが知られている（例えば特許文献１参照）。
【先行技術文献】
【特許文献】
【０００５】
【特許文献１】特開２０１４−１３２３６５号公報（段落００４８，００４９および図９参照）
【発明の概要】
【発明が解決しようとする課題】
【０００６】
しかしながら、特許文献１に記載された従来のコネクタ（光伝送モジュール）では、光ファイバ心線があらゆる方向に撓む可能性がある。このため、光ファイバ心線がいずれの方向に撓んだとしてもハウジングなどに接触しないように、光ファイバ心線を撓ませるための空間を大きく確保する必要があった。その結果、従来のコネクタでは大型になるという問題があった。
【０００７】
本発明は上記の点に鑑みてなされた発明であり、本発明の目的は、コネクタを大型にすることなく、光ファイバ心線の断線の可能性を低減させることができる光電変換装置およびコネクタを提供することにある。
【課題を解決するための手段】
【０００８】
本発明の一態様に係る光電変換装置は、光電変換を行うコネクタと、前記コネクタからの光信号を伝送する光ファイバとを備え、前記光ファイバは、前記光信号が通る光ファイバ心線と、前記光ファイバ心線を覆う被覆とを備え、前記コネクタは、ハウジングと、前記光ファイバ心線が接続され電気信号と前記光信号とを変換する光電変換ブロックと、前記光ファイバを前記ハウジングに固定するための固定ブロックとを備え、前記ハウジングは、前記光電変換ブロックと前記固定ブロックとが第１の方向において並ぶように、前記光電変換ブロックおよび前記固定ブロックを収納し、前記固定ブロックは、前記光電変換ブロック側の第１の面と、前記第１の面とは異なる第２の面とを含み、前記第１の面および前記第２の面に開口し前記光ファイバ心線が貫通する空間を有し、前記空間は、前記第１の方向と直交する第２の方向における前記第１の面での開口の長さが前記第２の方向以外の前記第１の方向と直交する方向における前記第１の面での開口の長さよりも長くなるように形成されていることを特徴とする。
【０００９】
この光電変換装置において、前記コネクタは、複数のコネクタ端子を含むコネクタ端子部をさらに備え、前記第２の方向は、前記複数のコネクタ端子が並ぶ方向であることが好ましい。
【００１０】
この光電変換装置において、前記固定ブロックは、前記空間を有する固定部材と、前記固定部材とで前記被覆を挟持して前記光ファイバを前記ハウジングに固定する押さえ部材とを含むことが好ましい。
【００１１】
この光電変換装置において、前記光ファイバは、前記光ファイバ心線と前記被覆との間に設けられた抗張力体をさらに備え、前記固定部材および前記押さえ部材は、前記被覆および前記抗張力体を挟持して前記光ファイバを前記ハウジングに固定することが好ましい。
【００１２】
この光電変換装置において、前記空間は、前記第２の方向において、前記第１の面での開口の長さが前記第２の面での開口の長さよりも長くなるように形成されていることが好ましい。
【００１３】
この光電変換装置において、前記コネクタは、前記光ファイバ心線を固定する心線固定部材と、前記固定ブロックの前記第２の面側から前記第１の面側に向かって前記心線固定部材を前記空間に押し込む弾性体とをさらに備えることが好ましい。
【００１４】
この光電変換装置において、前記コネクタは、前記ハウジング内において前記光ファイバ心線を迂回させるように設けられた弾性機構をさらに備えることが好ましい。
【００１５】
この光電変換装置において、前記光電変換ブロックは、基板と、光電変換素子を含み前記基板に実装された光電変換モジュールとを含み、前記コネクタは、前記基板に接続され前記基板を前記第１の方向に移動可能に設けられたフレキシブル基板をさらに備えることが好ましい。
【００１６】
本発明の一態様に係るコネクタは、光信号が通る光ファイバ心線を含む光ファイバに接続されて光電変換を行うコネクタであって、ハウジングと、前記光ファイバ心線が接続され電気信号と前記光信号とを変換する光電変換ブロックと、前記光ファイバを前記ハウジングに固定するための固定ブロックとを備え、前記ハウジングは、前記光電変換ブロックと前記固定ブロックとが第１の方向において並ぶように、前記光電変換ブロックおよび前記固定ブロックを収納し、前記固定ブロックは、前記光電変換ブロック側の第１の面と、前記第１の面とは異なる第２の面とを含み、前記第１の面および前記第２の面に開口し前記光ファイバ心線が貫通する空間を有し、前記空間は、前記第１の方向と直交する第２の方向における前記第１の面での開口の長さが前記第２の方向以外の前記第１の方向と直交する方向における前記第１の面での開口の長さよりも長くなるように形成されていることを特徴とする。
【発明の効果】
【００１７】
本発明の各態様に係る光電変換装置およびコネクタでは、コネクタを大型にすることなく、光ファイバ心線の断線の可能性を低減させることができる。
【図面の簡単な説明】
【００１８】
【図１】実施形態１に係る光電変換装置の外観図である。
【図２】実施形態１に係る光電変換装置の要部の外観図である。
【図３】実施形態１に係る光電変換装置の要部の断面図である。
【図４】実施形態１に係る固定ブロックの分解斜視図である。
【図５】図５Ａ，５Ｂは、実施形態１に係る固定部材の外観図である。
【図６】図６Ａは、実施形態１に係る固定部材の正面図であり、図６Ｂは、実施形態１に係る固定部材の左側面図であり、図６Ｃは、実施形態１に係る固定部材の右側面図であり、図６Ｄは、実施形態１に係る固定部材の平面図であり、図６Ｅは、実施形態１に係る固定部材の図６ＤのＡ１−Ａ１線の断面図であり、図６Ｆは、実施形態１に係る固定部材の図６ＡのＡ２−Ａ２線の断面図である。
【図７】図７Ａ，７Ｂは、実施形態１に係る押さえ部材の外観図である。
【図８】図８Ａは、実施形態１に係る押さえ部材の正面図であり、図８Ｂは、実施形態１に係る押さえ部材の左側面図であり、図８Ｃは、実施形態１に係る押さえ部材の図８ＡのＡ３−Ａ３線の断面図である。
【図９】実施形態１に係る光ファイバおよび固定ブロックであって光ファイバを固定ブロックに固定するための工程の途中の斜視図である。
【図１０】実施形態１に係る光ファイバおよび固定ブロックであって光ファイバを固定ブロックに固定するための工程が完了した後の斜視図である。
【図１１】実施形態１に係る光ファイバおよび固定ブロックであって図１０のＡ４−Ａ４線の断面図である。
【図１２】実施形態２に係る光電変換装置の要部の断面図である。
【図１３】実施形態３に係る光電変換装置の要部の断面図である。
【図１４】実施形態３の変形例に係る光電変換装置の要部の断面図である。
【図１５】実施形態４に係る光電変換装置の要部の外観図である。
【図１６】実施形態４に係る光電変換装置の要部の断面図である。
【図１７】実施形態４に係る光電変換装置の要部の断面図である。
【図１８】図１８Ａは、光電変換モジュールの一例の正面図、図１８Ｂは、図１８ＡのＣ１−Ｃ１線の断面図である。
【図１９】図１９Ａは、光電変換モジュールの他の例の正面図、図１９Ｂは、図１９ＡのＣ２−Ｃ２線の断面図である。
【発明を実施するための形態】
【００１９】
以下、図面を参照しながら、実施形態１〜４に係る光電変換装置の詳細について説明する。
【００２０】
（実施形態１）
実施形態１に係る光電変換装置１は、図１に示すように、２つのコネクタ（プラグ）２と、光ファイバ３とを備えている。光電変換装置１は、コネクタ２同士を光ファイバ３で接続している構造である。各コネクタ２は、光電変換を行うように構成されている。光ファイバ３は、各コネクタ２からの光信号を伝送するように構成されている。
【００２１】
光電変換装置１は、サーバや映像機器、産業機器、計測機器、業務用印刷機器、医療機器などの機器または機器間に用いられる。より詳細には、光電変換装置１は、上記機器内の基板間の信号伝送や上記機器内のモジュール間の信号伝送、機器間の信号伝送に用いられる。
【００２２】
光ファイバ３は、図３に示すように、２本の光ファイバ心線３１と、被覆３２と、抗張力体３３とを備えている。各光ファイバ心線３１は、中心部分に設けられて屈折率の高いコアと、コアの周囲に設けられてコアよりも屈折率の低いクラッドとを備えている。被覆３２は、例えば塩化ビニルなどの樹脂であり、各光ファイバ心線３１を覆っている。抗張力体３３は、例えばアラミド繊維や鋼線などであり、光ファイバ３への張力に対する強度を高めるために、光ファイバ心線３１と被覆３２との間に設けられている。本実施形態および以下の実施形態において、光ファイバとは、光ファイバコードおよび光ファイバケーブルの総称である。
【００２３】
各コネクタ２は、図２に示すように、光電変換ブロック４と、固定ブロック５と、ハウジング６とを備えている。各コネクタ２は、ブッシング２１と、コネクタ端子部２２と、外ケース２３（図１参照）とをさらに備えている。
【００２４】
ブッシング２１は、例えば樹脂製であり、光ファイバ３が許容角度以上に屈曲しないようにハウジング６の近傍に取り付けられている。
【００２５】
コネクタ端子部２２は、複数のコネクタ端子２２１を備えている。コネクタ端子部２２は、ハウジング６内において、第１の方向Ｄ１の第１端側に収納されている。複数のコネクタ端子２２１は、第１の方向Ｄ１と直交する第２の方向Ｄ２に並んで設けられている。コネクタ端子部２２は、機器側のコネクタ（レセプタクル）のコネクタ端子部に接続されることによって、光電変換装置１と機器との間で電気信号の授受や電力供給、グランド配線などを行うことができる。
【００２６】
ハウジング６は、例えば金属製であり、空間６１を有する箱状に形成されている。ハウジング６は、光電変換ブロック４と固定ブロック５とコネクタ端子部２２とを収納している。より詳細には、ハウジング６は、第１の方向Ｄ１の第１端側に光電変換ブロック４を収納し、第１の方向Ｄ１において第１端側に対向する第２端側に固定ブロック５を収納している。すなわち、ハウジング６は、コネクタ端子部２２と光電変換ブロック４と固定ブロック５とが第１の方向Ｄ１においてこの順で並ぶように、光電変換ブロック４と固定ブロック５とコネクタ端子部２２とを収納している。また、ハウジング６は、第２の方向Ｄ２の長さのほうが、第１の方向Ｄ１および第２の方向Ｄ２の両方に直交する第３の方向Ｄ３（図１１参照）の長さよりも長い。空間６１には、開口部６２が形成されている。
【００２７】
外ケース２３は、図１に示すように、ボディ２３１と、カバー２３２とを備えている。外ケース２３は、ハウジング６のうちコネクタ端子部２２を収納している部分を除く残りの部分を覆うように構成されている。すなわち、外ケース２３は、ハウジング６のうち光電変換ブロック４および固定ブロック５を収納している部分を覆っている。
【００２８】
光電変換ブロック４は、図２に示すように、電気信号を光信号に変換したり、光信号を電気信号に変換したりするように構成されている。光電変換ブロック４には、各光ファイバ心線３１が接続されている。光電変換ブロック４は、基板４１と、光電変換モジュール４２とを備えている。なお、光電変換ブロック４には、各光ファイバ心線３１が光学的に接続されていればよい。
【００２９】
基板４１は、板状かつ硬質の基板である。基板４１には、光電変換モジュール４２および光電変換回路が実装されている。
【００３０】
光電変換モジュール４２は、図１８Ａ，１８Ｂに示すように、２つの光電変換素子４２１および２つの接続機構を備えている。２つの光電変換素子４２１および接続機構は、それぞれ２本の光ファイバ心線３１に対応している。２つの接続機構の各々は、対応する光ファイバ心線３１の先端が接続されるように構成されている。
【００３１】
２つの光電変換素子４２１の各々は、発光素子または受光素子である。本実施形態では、２つのコネクタ２間で２本の光ファイバ心線３１を用いて光信号を双方向に伝送することができるので、２つの光電変換素子４２１のうちの一方が発光素子であり、他方が受光素子である。発光素子としては、例えば半導体レーザや発光ダイオードが用いられる。半導体レーザとしては、ＶＣＳＥＬ（Vertical Cavity Surface Emitting LASER：垂直共振器面発光レーザ）などが用いられる。受光素子としては、例えばフォトダイオードが用いられる。
【００３２】
光電変換モジュール４２の接続構造の一例を図１８Ａ，１８Ｂに示す。光電変換モジュール４２は、接続機構として、シリコン基板４２２を備えている。シリコン基板４２２は、ミラー４２３と、Ｖ字状の２つの溝４２４と、２つの配線部４２５とを有している。ミラー４２３は、光路を曲げるために設けられている。各溝４２４には、対応する光ファイバ心線３１が実装されている。各配線部４２５には、対応する光電変換素子４２１が接続されている。各配線部４２５は、基板４１に実装されている光電変換回路に接続されている。
【００３３】
光電変換素子４２１が発光素子である場合、光電変換素子４２１からの光信号はミラー４２３に伝送される。ミラー４２３に伝送された光信号は、ミラー４２３によって光路が９０°曲げられて、光ファイバ心線３１に伝送される。光電変換素子４２１が受光素子である場合、光ファイバ心線３１からの光信号はミラー４２３に伝送される。ミラー４２３に伝送された光信号は、ミラー４２３によって光路が９０°曲げられて、光電変換素子４２１に伝送される。
【００３４】
このようなシリコン基板４２２により、光電変換素子４２１と光ファイバ心線３１との間で光信号の伝送を精度よく行うことができ、光電変換モジュール４２を薄い形状で構成することができる。
【００３５】
なお、光電変換モジュール４２の他の構造例として、図１９Ａ，１９Ｂに示すように、光電変換素子４２１は、溝４２４の方向に発光または受光するようにシリコン基板４２２に設けられていてもよい。この場合、光電変換素子４２１と光ファイバ心線３１との間で光信号を直接伝送することができる。
【００３６】
基板４１に実装されている光電変換回路は、発光素子を駆動する駆動回路、および、受光素子からの信号を増幅する増幅回路を含んでいる。
【００３７】
固定ブロック５は、光ファイバ３をハウジング６に固定するように構成されている。図２，４に示すように、固定ブロック５は、固定部材５１と、２つの押さえ部材５２とを備えている。
【００３８】
固定部材５１は、図５Ａ，５Ｂおよび図６Ａ〜６Ｆに示すように、例えば樹脂製であり、空間５１１と、２つの凹部５１２と、２つの溝５１３と、２つの凹部５１４と、２つの凹部５１５とを有している。さらに、固定部材５１は、光電変換ブロック４側の第１の面５１６と、第１の面５１６とは異なる第２の面５１７とを有している。第２の面５１７は、第１の方向Ｄ１において第１の面５１６と対向している。空間５１１は、第１の面５１６および第２の面５１７に開口している。空間５１１には、光ファイバ心線３１（図３参照）が貫通する。また、空間５１１には、第１の方向Ｄ１に沿って一対の溝５１８が形成されている。
【００３９】
２つの押さえ部材５２の各々は、例えば板状の金属に曲げ加工が施されることによって形成されている。図７Ａ，７Ｂおよび図８Ａ〜８Ｃに示すように、各押さえ部材５２は、基部５２１と、２つの側部５２２と、２つの先端部５２３とを備えている。基部５２１、２つの側部５２２および２つの先端部５２３は、一体に形成されている。各先端部５２３には、固定部材５１とともに被覆３２を押させるための第１の押さえ部５２４が形成されている。具体的には、第１の押さえ部５２４は、複数の突起を有しており、この複数の突起が被覆３２にくい込ませることによって、被覆３２を押さえている。基部５２１には、固定部材５１とで抗張力体３３を押さえるための第２の押さえ部５２５が形成されている。具体的には、第２の押さえ部５２５を抗張力体３３にくい込ませて固定部材５１に押さえることによって、抗張力体３３を押さえている。押さえ部材５２は、固定部材５１に嵌め込んで固定している。
【００４０】
固定部材５１および２つの押さえ部材５２は、被覆３２を挟持して光ファイバ３をハウジング６に固定するように構成されている。さらに、固定部材５１および押さえ部材５２は、抗張力体３３を挟持して光ファイバ３をハウジング６に固定するように構成されている。
【００４１】
続いて、光ファイバ３を固定ブロック５に固定するための工程について図４，９，１０を参照しながら説明する。
【００４２】
まず、図４に示すように、光ファイバ３の先端の被覆３２および抗張力体３３を取り除いて光ファイバ３の先端を光ファイバ心線３１のみにする。このとき、被覆３２および抗張力体３３の一部を光ファイバ心線３１から分離させて残す。そして、光ファイバ３の先端の光ファイバ心線３１を固定部材５１の空間５１１に通す。その後、光ファイバ心線３１から分離された被覆３２の一部を固定部材５１の凹部５１２に挿入する。光ファイバ心線３１から分離された抗張力体３３の一部を固定部材５１の凹部５１４に載置する。
【００４３】
その後、図４，９，１０に示すように、各押さえ部材５２の基部５２１が固定部材５１の凹部５１４を覆うように各押さえ部材５２の先端部５２３を固定部材５１の溝５１３に嵌め合わせる。このとき、第１の押さえ部５２４および固定部材５１の凹部５１２の周囲面は、凹部５１２に挿入された被覆３２を挟持する。これにより、被覆３２が固定ブロック５に固定される。また、押さえ部材５２の第２の押さえ部５２５および固定部材５１は、凹部５１４に載置された抗張力体３３を挟持する。これにより、抗張力体３３が固定ブロック５に固定される。
【００４４】
上記のように組み立てられた固定ブロック５（固定部材５１、押さえ部材５２）において、図１１に示すように、光ファイバ３は固定ブロック５に固定される。光ファイバ３の先端の光ファイバ心線３１は、固定部材５１の空間５１１を貫通し、固定ブロック５がハウジング６に収納されることによって、ハウジング６内に位置する。そして、光ファイバ心線３１は、ハウジング６内の光電変換ブロック４に接続される。
【００４５】
固定ブロック５（固定部材５１、押さえ部材５２）は、ハウジング６内に収納されて固定されている。光ファイバ３の固定をハウジング６とは別部品で行うことによって、組立時の光ファイバ３の固定を容易にすることができ、光ファイバ３の位置合わせを行いやすくなる。
【００４６】
本実施形態では、固定部材５１および２つの押さえ部材５２は、被覆３２と抗張力体３３とを異なる位置で固定している。これにより、被覆３２および抗張力体３３を同じ部品で固定することができるので、被覆３２および抗張力体３３を異なる部品で固定する構造に比べて、安価にすることができる。ここで、同じ部品を用いた場合、同じ個所で固定すると、被覆３２の弾性によって抗張力体３３が滑りやすくなり、光ファイバ３を十分に固定することができない。しかしながら、本実施形態では、同じ部品を用いるものの、被覆３２を固定する個所と抗張力体３３を固定する個所とを変えているので、上記のような問題が発生しない。すなわち、被覆３２の固定および抗張力体３３の固定をそれぞれ十分にすることができる。さらに、抗張力体３３および被覆３２を、固定部材５１と押さえ部材５２とに接着するとよい。
【００４７】
このような構造の固定ブロック５では、図２、図３、図５Ａ，５Ｂおよび図６Ａ〜６Ｆに示すように、固定部材５１の空間５１１は、一方向の開口の長さのみ他の方向の開口の長さよりも長くなるように形成されている。以下、空間５１１の詳細について説明する。
【００４８】
まず、固定部材５１の空間５１１は、第１の方向Ｄ１と直交する第２の方向Ｄ２における第１の面５１６での開口の長さＬ１が第２の方向Ｄ２以外の第１の方向Ｄ１と直交する方向における第１の面５１６での開口の長さよりも長くなるように形成されている。例えば、長さＬ１は、第１の方向Ｄ１および第２の方向Ｄ２の両方に直交する第３の方向Ｄ３（図４参照）の長さＬ３よりも長くなるように形成されている。
【００４９】
また、固定部材５１の空間５１１は、第２の方向Ｄ２において、第１の面５１６での開口の長さＬ１が第２の面５１７での開口の長さＬ２よりも長くなるように形成されている。
【００５０】
固定部材５１の空間５１１が上記のように形成されていることによって、図２，３，１１に示すように、空間５１１に光ファイバ３の光ファイバ心線３１が貫通した状態で、光ファイバ心線３１を空間５１１内で自由に移動させることができる。これにより、光ファイバ心線３１をハウジング６内で第２の方向Ｄ２に撓ませることができる。その結果、ハウジング６内における光ファイバ心線３１の長さＬ４は、光ファイバ心線３１の先端とハウジング６の端部との間の距離Ｌ５よりも長い（Ｌ４＞Ｌ５）。
【００５１】
本実施形態に係る光電変換装置１において、光ファイバ３に張力が加わっていない場合、固定部材５１の空間５１１によって、光ファイバ心線３１は、ハウジング６内で撓んでいる。一方、光ファイバ３に張力が加わった場合、光ファイバ３への張力によって、被覆３２が伸びたとしても、光ファイバ心線３１は撓んでいるため、真っ直ぐに伸びきることがない。これにより、光ファイバ心線３１の断線の可能性を低減させることができる。その後、光ファイバ３への張力がなくなった場合、光ファイバ心線３１は、光ファイバ３に張力が加わる前の状態に戻る。すなわち、光ファイバ心線３１は、光ファイバ３に張力が加わる前のように撓む。光ファイバ３の撓ませる方向は、光電変換モジュール４２の薄い形状を有効に活用できる方向である。
【００５２】
なお、第２の面５１７は、第１の面５１６と必ずしも対向していなくてもよい。
【００５３】
以上説明した本実施形態に係る光電変換装置１およびコネクタ２では、光ファイバ３を固定するための固定ブロック５を光ファイバ心線３１が貫通する際に、光ファイバ心線３１を特定の方向（第２の方向Ｄ２）に撓ませることができる。これにより、光ファイバ心線３１があらゆる方向に撓むことが可能な空間を有する場合に比べて、光電変換装置１を大型にする必要がない。その結果、光ファイバ３を過渡な力で引っ張られるなど光ファイバ３に張力が加わった場合に、光電変換装置１を大型にすることなく、光ファイバ心線３１の断線の可能性を低減させることができる。
【００５４】
（実施形態２）
実施形態２に係る光電変換装置１は、図１２に示すように、心線固定機構７を備えている点で、実施形態１に係る光電変換装置１（図３参照）と相違する。なお、実施形態１に係る光電変換装置１と同様の構成要素については、同一の符号を付して説明を省略する。
【００５５】
本実施形態のコネクタ２は、図１２に示すように、心線固定機構７を備えている。心線固定機構７は、光ファイバ心線３１を固定ブロック５（固定部材５１）に固定するように構成されている。
【００５６】
心線固定機構７は、心線固定部材７１と、弾性体７２と、収納部７３とを備えている。心線固定部材７１は、光ファイバ心線３１を固定するように構成されている。弾性体７２は、例えばばねであり、収納部７３に収納された状態で、ハウジング６固定ブロック５（固定部材５１）の第２の面５１７側から第１の面５１６に向かって心線固定部材７１を押し込むように構成されている。
【００５７】
弾性体７２による心線固定部材７１の押し込みによって、ハウジング６内において光ファイバ心線３１に十分な撓みを設けることができる。これにより、光ファイバ３に張力が加わった後に、再度、光ファイバ心線３１が撓むように心線固定部材７１を押し込むことによって、光ファイバ心線３１の撓みを維持することができる。
【００５８】
以上説明した本実施形態に係る光電変換装置１およびコネクタ２では、光ファイバ心線３１が固定されている心線固定部材７１を弾性体７２にて押し込むことによって、光ファイバ心線３１をハウジング６内で撓ませることができる。
【００５９】
（実施形態３）
実施形態３に係る光電変換装置１は、図１３に示すように、弾性機構８を備えている点で、実施形態１に係る光電変換装置１（図３参照）と相違する。なお、実施形態１に係る光電変換装置１と同様の構成要素については、同一の符号を付して説明を省略する。
【００６０】
本実施形態のコネクタ２は、図１３に示すように、弾性機構８を備えている。弾性機構８は、ハウジング６内において光ファイバ心線３１を迂回させるように設けられている。
【００６１】
本実施形態の弾性機構８は、弾性体８１である。弾性体８１は、光ファイバ心線３１の接続点と固定部材５１の第２の面５１７側の空間５１１とを結ぶ直線上に設けられている。光ファイバ心線３１が撓むように、弾性体８１は、断面に弧状を有している。
【００６２】
以上説明した本実施形態に係る光電変換装置１およびコネクタ２では、弾性機構８によって、光ファイバ心線３１の撓みを維持することができる。そして、光ファイバ３が引っ張られたとしても、弾性機構８（弾性体８１）が変形することによって光ファイバ心線３１の撓みを小さくすることができる。また、光ファイバ心線３１が破断する可能性のある最小曲率半径以下で光ファイバ心線３１が曲がらないようにすることができるので、光ファイバ３を保護することができる。
【００６３】
なお、本実施形態の変形例として、図１４に示すように、弾性機構８は、弾性体８１に代えて、迂回部８２および弾性体８３を備えてもよい。迂回部８２は、光ファイバ心線３１の接続点と固定部材５１の第２の面５１７側の空間５１１とを結ぶ直線上に設けられている。迂回部８２は、断面に弧状を有している。弾性体８３は、例えばばねであり、迂回部８２を第２の方向Ｄ２に移動させるように構成されている。
【００６４】
本変形例に係る光電変換装置１およびコネクタ２では、弾性機構８によって、光ファイバ心線３１の撓みを維持することができる。そして、光ファイバ３が引っ張られたとしても、弾性体８３によって迂回部８２を移動させることができるので、光ファイバ心線３１の撓みを小さくすることができる。
【００６５】
なお、本実施形態の弾性機構８または本変形例の弾性機構８を用いる技術は、実施形態１に係る光電変換装置１だけではなく、実施形態２に係る光電変換装置１に適用してもよい。
【００６６】
（実施形態４）
実施形態４に係る光電変換装置１は、図１５〜１７に示すように、フレキシブル基板９を備えている点で、実施形態１に係る光電変換装置１（図２参照）と相違する。なお、実施形態１に係る光電変換装置１と同様の構成要素については、同一の符号を付して説明を省略する。
【００６７】
本実施形態のコネクタ２は、図１５〜１７に示すように、フレキシブル基板９を備えている。フレキシブル基板９は、ハウジング６内に収納され、光電変換ブロック４の基板４１に接続されている。フレキシブル基板９は、基板４１を第１の方向Ｄ１に移動可能に設けられている。より詳細には、フレキシブル基板９は、第１の方向Ｄ１において折り返すようにハウジング６内に配置されている。なお、コネクタ２は、フレキシブル基板９が過度な曲率半径で曲がった状態で可動しないように可動のためのガイドを備えてもよい。
【００６８】
本実施形態に係る光電変換装置１において、光ファイバ３に張力が加わっていない場合、図１５に示すように、固定部材５１の空間５１１によって、光ファイバ心線３１は、ハウジング６内で撓んでいる。また、光ファイバ３からの張力がないため、光電変換ブロック４の基板４１は、図１５，１６に示すように、通常の位置に位置している。一方、光ファイバ３に張力が加わった場合、光ファイバ３への張力によって、光電変換ブロック４の基板４１は、図１７に示すように、矢印Ｂ１の向きに移動する。その後、光ファイバ３への張力がなくなった場合、光電変換ブロック４の基板４１は元の位置（通常の位置）に戻る。
【００６９】
以上説明した本実施形態に係る光電変換装置１およびコネクタ２では、光ファイバ３に張力が加わったとしても、フレキシブル基板９によって光電変換ブロック４を移動させることができる。これにより、光ファイバ心線３１の断線の可能性をより低減させることができる。フレキシブル基板９および基板４１は、一体化したリジットフレキシブル基板であってもよい。
【００７０】
なお、本実施形態のフレキシブル基板９を用いる技術は、実施形態１に係る光電変換装置１だけではなく、実施形態２，３に係る光電変換装置１に適用してもよい。
【００７１】
また、本実施形態のフレキシブル基板９を用いる技術は、固定ブロック５を備えていない光電変換装置に適用してもよい。すなわち、本実施形態のフレキシブル基板９を用いる技術は、固定ブロック５の固定部材５１に上述したような空間５１１を有していない光電変換装置に適用してもよい。
【００７２】
なお、各実施形態では、光電変換装置１の伝送仕様が、２本の光ファイバ心線３１を用いた２チャンネルの双方向伝送タイプである場合について説明したが、光電変換装置１の伝送仕様は、上記タイプに限定されない。光電変換装置１の伝送仕様は、１本の光ファイバ心線３１のみを用いた１チャンネルのタイプであってもよいし、３本以上の光ファイバ心線３１を用いてもよい。また、光電変換装置１の伝送方向は、双方向であってもよいし、一方向のみであってもよい。
【００７３】
また、光電変換装置１は、２つのコネクタ２を備えている構成には限定されない。各実施形態の変形例として、光電変換装置１は、１つのコネクタ２のみを備えていてもよい。本変形例に係る光電変換装置１では、光ファイバ３の両端のいずれか一方のみにコネクタ２が接続され、他端には他のコネクタが接続される。
【符号の説明】
【００７４】
１  光電変換装置
２  コネクタ
２２  コネクタ端子部
２２１  コネクタ端子
３  光ファイバ
３１  光ファイバ心線
３２  被覆
３３  抗張力体
４  光電変換ブロック
５  固定ブロック
５１  固定部材
５１１  空間
５１６  第１の面
５１７  第２の面
５２  押さえ部材
６  ハウジング
７１  心線固定部材
７２  弾性体
８  弾性機構
９  フレキシブル基板
【図１】
2018119997.tif 000003
【図２】
2018119997.tif 000004
【図３】
2018119997.tif 000005
【図４】
2018119997.tif 000006
【図５】
2018119997.tif 000007
【図６】
2018119997.tif 000008
【図７】
2018119997.tif 000009
【図８】
2018119997.tif 000010
【図９】
2018119997.tif 000011
【図１０】
2018119997.tif 000012
【図１１】
2018119997.tif 000013
【図１２】
2018119997.tif 000014
【図１３】
2018119997.tif 000015
【図１４】
2018119997.tif 000016
【図１５】
2018119997.tif 000017
【図１６】
2018119997.tif 000018
【図１７】
2018119997.tif 000019
【図１８】
2018119997.tif 000020
【図１９】
2018119997.tif 000021